(57)【要約】【課題】  レセプタクルの追加にかかるコストが抑えられ且つ見栄えが改善される直流コンセント及び該直流コンセントに用いられる電力変換装置を提供する。【解決手段】  電力変換装置１は、後方から電線を接続される入力端子１１、後方から電線４を接続される出力端子１２、並びに、入力端子１１に入力された交流電力を直流電力に変換して出力端子１２に出力する電力変換回路を有し、壁面に埋込配設される。直流用接続装置２は、直流用のプラグが前方から挿入接続されるレセプタクル２０、並びに、それぞれレセプタクル２０に電気的に接続されて後方から電線４を接続される複数個の直流用端子２１，２２を有し、電力変換装置１とともに壁面に埋込配設される。電力変換装置１と各直流用接続装置２との相互の接続に用いられる電線４は、電力変換装置１や直流用接続装置２の後側に隠れるから、見栄えが悪くならない。【選択図】図１
2015008041.tif 000002
【特許請求の範囲】
【請求項１】
一端部を交流電源に接続された電源線の他端部が後方から接続される入力端子、後方から電線の一端部を接続される出力端子、並びに、前記入力端子に入力された交流電力を直流電力に変換して前記出力端子に出力する電力変換回路を有して壁面に埋込配設される電力変換装置と、
直流用のプラグが前方から挿入接続されるレセプタクル、並びに、それぞれ前記レセプタクルに電気的に接続されて後方から前記電線の他端部を接続される直流用端子を有して前記電力変換装置とともに壁面に埋込配設される直流用接続装置とを備えることを特徴とする直流コンセント。
【請求項２】
前記電力変換装置は、前記入力端子に接続された前記電源線と前記出力端子に接続された前記電線とを仕切る仕切りを備えることを特徴とする請求項１記載の直流コンセント。
【請求項３】
壁面に埋込配設される電力変換装置であって、
一端部を交流電源に接続された電源線の他端部が後方から接続される入力端子と、
後方から電線の一端部を接続される出力端子と、
前記入力端子に入力された交流電力を直流電力に変換して前記出力端子に出力する電力変換回路とを備え、
請求項１又は請求項２の直流コンセントに用いられることを特徴とする電力変換装置。
【発明の詳細な説明】
【技術分野】
【０００１】
本発明は、直流コンセント及び該直流コンセントに用いられる電力変換装置に関するものである。
【背景技術】
【０００２】
従来から、いわゆるスイッチボックスを用いて壁面等に埋込配設される直流コンセントが提供されている（例えば、特許文献１参照）。この種の直流コンセントは、交流電力を伝送する電源線が接続される入力端子と、直流用のプラグが挿入接続されるレセプタクルと、上記の入力端子に入力された交流電力を直流電力に変換して上記のレセプタクルに出力する電力変換回路とを備える。
【０００３】
レセプタクルは埋込配設された状態で露出する側である前側に設けられ、入力端子は埋込配設された状態で隠れる側である後側に設けられる。
【先行技術文献】
【特許文献】
【０００４】
【特許文献１】特開平７−１５８３５号公報
【発明の概要】
【発明が解決しようとする課題】
【０００５】
従来は、レセプタクルを追加するには、直流コンセント自体を追加するか、直流コンセントの前側においてハブなどを用いて分岐配線する必要があった。
【０００６】
分岐配線を行う場合、この分岐配線に用いられるハブや電線が直流コンセントの前側に露出することで、見栄えが悪くなる。
【０００７】
一方、直流コンセント自体を追加する場合、レセプタクルとともに電力変換回路が追加されることで、分岐配線の場合よりもコストが高くなってしまう。
【０００８】
本発明は、上記事由に鑑みて為されたものであり、その目的は、レセプタクルの追加にかかるコストが抑えられ且つ見栄えが改善される直流コンセント及び該直流コンセントに用いられる電力変換装置を提供することにある。
【課題を解決するための手段】
【０００９】
本発明の直流コンセントは、一端部を交流電源に接続された電源線の他端部が後方から接続される入力端子、後方から電線の一端部を接続される出力端子、並びに、前記入力端子に入力された交流電力を直流電力に変換して前記出力端子に出力する電力変換回路を有して壁面に埋込配設される電力変換装置と、直流用のプラグが前方から挿入接続されるレセプタクル、並びに、それぞれ前記レセプタクルに電気的に接続されて後方から前記電線の他端部を接続される直流用端子を有して前記電力変換装置とともに壁面に埋込配設される直流用接続装置とを備えることを特徴とする。
【００１０】
上記の直流コンセントにおいて、前記電力変換装置は、前記入力端子に接続された前記電源線と前記出力端子に接続された前記電線とを仕切る仕切りを備えることが望ましい。
【００１１】
本発明の電力変換装置は、壁面に埋込配設される電力変換装置であって、一端部を交流電源に接続された電源線の他端部が後方から接続される入力端子と、後方から電線の一端部を接続される出力端子と、前記入力端子に入力された交流電力を直流電力に変換して前記出力端子に出力する電力変換回路とを備え、上記いずれかの直流コンセントに用いられることを特徴とする。
【発明の効果】
【００１２】
本発明によれば、電力変換回路を有する電力変換装置が、レセプタクルを有する直流用接続装置とは別に設けられていることで、直流用接続装置の追加または変更によってレセプタクルの個数を変更することができる。直流用接続装置は電力変換回路を有さないことにより比較的に製造コストが抑えられるから、レセプタクルが電力変換回路とともに追加される場合に比べ、レセプタクルの追加にかかるコストが抑えられる。また、電力変換装置の出力端子と直流用接続装置の直流用端子とを相互に接続する電線は電力変換装置や直流用接続装置の後側に隠れることになるから、上記の電線が前側に露出する場合に比べて見栄えが改善される。
【図面の簡単な説明】
【００１３】
【図１】（ａ）（ｂ）はそれぞれ本発明の実施形態を示し、（ａ）は正面図、（ｂ）は背面図である。
【図２】同上の概略構成を示すブロック図である。
【図３】同上がスイッチボックスを用いて埋込配設された状態を示す断面図である。
【図４】同上の比較例を示す背面図である。
【図５】同上の変更例を示す背面図である。
【図６】同上の別の変更例を示す背面図である。
【図７】同上の更に別の変更例を示す背面図である。
【図８】（ａ）（ｂ）はそれぞれ同上の変更例において電力変換装置から仕切りが取り外された状態を示し、（ａ）は背面図、（ｂ）は右側面図である。
【図９】同上を示す右側面図である。
【発明を実施するための形態】
【００１４】
本発明の直流コンセントは、電力変換装置１と、直流用接続装置２とを備える。電力変換装置１は、一端部を交流電源３に接続された電源線３０の他端部が後方から接続される入力端子１１、後方から電線４の一端部を接続される出力端子１２、並びに、入力端子１１に入力された交流電力を直流電力に変換して出力端子１２に出力する電力変換回路１０を有して壁面６に埋込配設される。直流用接続装置２は、直流用のプラグが前方から挿入接続されるレセプタクル２０、並びに、それぞれレセプタクル２０に電気的に接続されて後方から電線４の他端部を接続される直流用端子２１，２２を有して電力変換装置１とともに壁面６に埋込配設される。
【００１５】
上記の直流コンセントにおいて、電力変換装置１は、入力端子１１に接続された電源線３０と出力端子１２に接続された電線４とを仕切る仕切り１４を備えることが好ましい。
【００１６】
本発明の電力変換装置１は、壁面６に埋込配設される電力変換装置であって、一端部を交流電源３に接続された電源線３０の他端部が後方から接続される入力端子１１と、後方から電線４の一端部を接続される出力端子１２とを備える。また、本発明の電力変換装置１は、入力端子１１に入力された交流電力を直流電力に変換して出力端子１２に出力する電力変換回路１０を備え、上記いずれかの直流コンセントに用いられる。
【００１７】
以下、本発明を実施するための最良の形態について、図面を参照しながら説明する。
【００１８】
本実施形態は、図１及び図２に示すように、交流電力を直流電力に変換する電力変換回路１０を有する電力変換装置１と、電力変換装置１が出力した直流電力を出力する複数個（図１では３個、図２では２個）の直流用接続装置２とを備える。
【００１９】
電力変換装置１と直流用接続装置２とは、図３に示すように、壁面６に設けられた埋込穴６０に対し、それぞれ前面のみを露出させる形で埋込配設される。埋込配設は、例えば、ＪＩＳ  Ｃ  ８３７５に規定された大角形連用配線器具の取付枠（図示せず）を用いて行われる。すなわち、電力変換装置１と各直流用接続装置２とをそれぞれ上記の取付枠に取り付けた状態で、上記の取付枠を、埋込穴６０内に固定されたスイッチボックス６１、または、埋込穴６０の周囲の壁面に対してねじ止めなどで固定する。この場合、各直流用接続装置２はそれぞれＪＩＳ  Ｃ  ８３０４に規定された１個モジュールの寸法とされ、電力変換装置１は３個モジュールの寸法（上記の１個モジュールを上下に３個並べた寸法）とされる。また、上記の取付枠の前側には、前方から見て埋込穴６０を覆うフラッシュプレート７が取り付けられる。フラッシュプレート７は、電力変換装置１の前面を露出させる第１露出穴７１と、直流用接続装置２の前面を露出させる第２露出穴７２とを有する。第２露出穴７２としては、３個の直流用接続装置２の前面を露出させるものが１個設けられていてもよいし、１個ずつの直流用接続装置２の前面を露出させるものが３個設けられていてもよい。
【００２０】
また、電力変換装置１は、一端部を外部の交流電源３に接続された電源線３０（図２参照）の他端部が後方から接続される入力端子１１と、出力用の電線４の一端部が後方から接続される出力端子１２とを有する。具体的には、電力変換装置１は、例えば樹脂のような絶縁材料からなり電力変換回路１０を収納したハウジング５を備え、ハウジング５の後面の上下両端部にはそれぞれ２個ずつの電線挿入口５１，５２が左右に並べて設けられている。入力端子１１と出力端子１２とは、それぞれ例えば周知の速結端子である。入力端子１１は、下側の電線挿入口５１に後方から挿入された電源線３０（図２参照）に接続され、出力端子１２は、上側の電線挿入口５２に後方から挿入された電線４に接続される。電力変換回路１０は、入力端子１１に接続された電源線３０を介して外部の交流電源３から入力された交流電力（例えば１００Ｖ）を所定の電圧（例えば５Ｖ）の直流電圧に変換して出力端子１２に出力する。このような電力変換回路１０は周知技術で実現可能であるので、詳細な図示並びに説明は省略する。
【００２１】
さらに、電力変換装置１は、入力端子１１に入力された交流電力がそのまま出力される２個の交流出力部１３を備える。各交流出力部１３は、それぞれ、電源プラグの栓刃（図示せず）が前方から挿入接続される一般的なコンセント（例えば、ＪＩＳ  Ｃ  ８３０３に規定されたもの）と同様の構造を有する。
【００２２】
また、直流用接続装置２は、直流用のプラグ（図示せず）が前方から挿入接続されるレセプタクル２０を前側に有するとともに、それぞれレセプタクル２０に電気的に接続された２個の直流用端子２１，２２を後側に有する。上記のプラグおよびレセプタクル２０は、例えばＵＳＢ規格に準拠した形状を有するものである。ただし、一般的なＵＳＢレセプタクルが有する接触子のうち、データ伝送用の接触子は省略してもよい。または、レセプタクル２０は、正極の接触子と負極の接触子との一方が他方を囲む円筒形状とされた、いわゆるＤＣジャックであってもよい。また、各直流用端子２１，２２は、それぞれ例えば周知の速結端子である。
【００２３】
ここで、直流用接続装置２のうち一番上の直流用接続装置２の直流用端子２１，２２のうち上側の直流用端子２１は、後方から接続された電線４を介して電力変換装置１の出力端子１２に接続されている。また、直流用接続装置２のうち一番下以外の２個の直流用接続装置２において、下側の直流用端子２２は、後方から接続された電線４を介して下側の直流用接続装置２の上側の直流用端子２１に接続されている。すなわち、直流用端子２１，２２のうち上側の直流用端子２１は、他の直流用接続装置２の直流用端子２１を介して又は直接に（つまり他の直流用接続装置２を介さずに）電力変換装置１の出力端子１２に接続される。また、直流用端子２１，２２のうち下側の直流用端子２２は、いわゆる送り配線に利用されている。すなわち、直流用接続装置２を新たに追加する際には、新たに追加される直流用接続装置２の一方の直流用端子２１と、既に電力変換装置１に接続されている直流用接続装置２の空いている直流用端子２２とを、電線４を介して互いに接続すればよい。なお、図２のように各直流用端子２１，２２が回路的に等価の場合には、上記とは逆に、下側の直流用端子２２を前段側（電力変換装置１側）への接続に用いて上側の直流用端子２１を後段側への接続（送り配線）に用いてもよい。
【００２４】
さらに、電力変換装置１は、例えば樹脂のような絶縁材料からなり、入力端子１１に接続された電源線３０と出力端子１２に接続された電線４とを仕切る仕切り１４を備える。このような仕切り１４を設ければ、図４のように仕切り１４が設けられない場合に比べ、入力端子１１に電源線３０を接続する際に上記の電線４が邪魔になりにくいから施工性が改善される。仕切り１４は、入力端子１１と出力端子１２との間の上下位置において入力端子１１と出力端子１２とのいずれよりも後方に突出し厚さ方向を上下方向に向けた中央片１４１を有する。また、仕切り１４は、中央片１４１の左右両端からそれぞれ下方に突設されて厚さ方向を左右方向に向けた側片１４２を有する。側片１４２は、直流用接続装置２が左右の一方側にのみ配置される場合は、直流用接続装置２が配置されない側については省略または図５や図６に示すように上方に突設してもよい。ただし、直流用接続装置２が、電力変換装置１の左右のどちらに配置されるか不確定な場合や、図７のように左右両側に配置される場合、側片１４２は中央片１４１の左右両端において下方に突設することで入力端子１１の左右両側に設けることが望ましい。
【００２５】
仕切り１４は、ハウジング５の一部として連続一体に形成されていてもよいし、ハウジング５とは別部品であってもよい。仕切り１４をハウジング５とは別部品とする場合、ハウジング５に対する仕切り１４の結合は、接着や嵌合といった周知の手段で達成することができる。仕切り１４をハウジング５に対して嵌合により結合させる場合、例えば、図８に示すように、左右両側に開放された嵌合溝５４をハウジング５の後面に設けるとともに、この嵌合溝５４に中央片１４１の前端部を嵌め込む。
【００２６】
さらに、仕切り１４は、後端部を適宜切除することにより後方への突出寸法の縮小を可能とするように、図９に示すように、前後方向に直交する線に沿って容易に切断可能とされた切断部１４３を、前後方向（図９での左右方向）に並べて複数個有する。つまり、より前側（図９での左側）の切断部１４３で切断すれば、仕切り１４の突出寸法をより小さくすることができる。そして、スイッチボックス６１の深さ寸法に応じた適宜の切断部１４３の後側の部位を切除することで、仕切り１４とスイッチボックス６１との干渉を避けることができる。切断部１４３は、貫通穴が直線状に並べられたもの（いわゆるミシン目）であってもよいし、Ｖ字溝であってもよい。
【００２７】
上記構成によれば、直流用接続装置２の追加、または、レセプタクル２０の個数が異なる別の直流用接続装置２への変更によって、レセプタクル２０の個数を変更することができる。直流用接続装置２は電力変換回路１０を有さないことにより比較的に製造コストが抑えられるから、レセプタクル２０が電力変換回路１０とともに追加される場合に比べ、レセプタクル２０の追加にかかるコストが抑えられる。また、電力変換装置１の出力端子１２と直流用接続装置２の直流用端子２１，２２とを相互に接続する電線４は電力変換装置１や直流用接続装置２の後側に隠れることになるから、上記の電線４が前側に露出する場合に比べて見栄えが改善される。
【符号の説明】
【００２８】
１  電力変換装置
２  直流用接続装置
３  交流電源
４  電線
６  壁面
１０  電力変換回路
１１  入力端子
１２  出力端子
１４  仕切り
２０  レセプタクル
２１，２２  直流用端子
３０  電源線
【図１】
2015008041.tif 000003
【図２】
2015008041.tif 000004
【図３】
2015008041.tif 000005
【図４】
2015008041.tif 000006
【図５】
2015008041.tif 000007
【図６】
2015008041.tif 000008
【図７】
2015008041.tif 000009
【図８】
2015008041.tif 000010
【図９】
2015008041.tif 000011